(57)【特許請求の範囲】
【請求項１】
長手方向の両側に設けた一対の挿通孔に挿通させる締付けボルトと、これに螺合するナットによって互いに相対向させて締付ける電柱側に配する内側挟持板と、該内側挟持板の外側に重ね合わせる外側挟持板を備え、各挟持板には、前記挿通孔間に位置し、しかも、電柱の周側面に突設した支持ボルトを挿通させる挿通孔と、下端に互いに相対向してケーブルの支持線を部分的に係合する係合凹部を設けると共に、前記内側挟持板には、前記支持ボルトに螺合したナットを締付けるとき、電柱の前記周側面に接する一対の、電柱長手方向に沿う突条を設けた、ケーブル支持線吊架金物。
【発明の詳細な説明】
【技術分野】
【０００１】
本発明は、通信用ケーブルとして用いられている自己支持型ケーブルの支持線等の支持線を電柱間に吊架する際に用いる電柱用吊架金物に関するものである。
【背景技術】
【０００２】
支持筒部を備えた内側挟持板と外側挟持板の相対向面に溝部を設け、該溝部に自己支持型ケーブルの支持線を部分的に係合して、前記両挟持板を締付けボルトで互いに締付ける一方、内側挟持板の前記支持筒部に固定ボルトを挿通させ、該固定ボルトの先端を電柱面に設けたねじ穴に螺合して、内側挟持板を電柱に固定するようにした構造のものがある（例えば、特許文献１）。
【先行技術文献】
【特許文献】
【０００３】
【特許文献１】実開平４−５４４２８号公報
【発明の概要】
【発明が解決しようとする課題】
【０００４】
前記従来例は、内側挟持板に支持筒部を設け、この支持筒部に固定ボルトを挿通させて電柱面のねじ穴に螺合して電柱に固定する構造を採用するため、電柱の任意の個所に取付けるには、ねじ穴形成という煩雑な作業をする必要があり、実用性に欠ける。また、単一な固定ボルトで金具全体を電柱に固定する構造なので、風圧等が原因で、金具全体が固定ボルトを軸として揺（回）動してしまい、ケーブルに支障を来たす場合がある。
【０００５】
本発明は、このような従来例の欠点に着目し、使用勝手の良好な、ケーブル支持線の電柱用吊架金物を提供することを目的として創案したものである。
【課題を解決するための手段】
【０００６】
長手方向の両側に設けた一対の挿通孔に挿通させる締付けボルトと、これに螺合するナットによって互いに相対向させて締付ける電柱側に配する内側挟持板と、該内側挟持板の外側に重ね合わせる外側挟持板を備え、各挟持板には、前記挿通孔間に位置し、しかも、電柱の周側面に突設した支持ボルトを挿通させる挿通孔と、下端に互いに相対向してケーブルの支持線を部分的に係合する係合凹部を設けると共に、前記内側挟持板には、前記支持ボルトに螺合したナットを締付けるとき、電柱の前記周側面に接する一対の、電柱長手方向に沿う突条を設けた構成とするのである。
【発明の効果】
【０００７】
本発明によれば、電柱側に備えたボルトを利用して電柱に取付けるものであるから、該ボルトを電柱面に装置していないときは、公知の電柱用バンド（のボルト）を利用して取付けることができ、取付けた状態にあって、突縁の存在によって内側挟持板が防傾材として働き、風圧などによる揺動を防いで、当初の状態を維持し、揺動による支障がケーブルに生じることのない、支持線の安定した吊架状態を期待できる吊架金物を提供できる。
【図面の簡単な説明】
【０００８】
【図１】第一の使用例を示す平面図。
【図２】図１の一部拡大図。
【図３】図２の正面図。
【図４】図２の側面図。
【図５】図２のｘ−ｘ線断面図。
【図６】第二の使用例を示す平面図。
【図７】図６の一部拡大図。
【図８】内側挟持板の背面図。
【図９】内側挟持板の平面図。
【図１０】内側挟持板の底面図。
【図１１】内側挟持板の側面図。
【図１２】外側挟持板の正面図。
【図１３】外側挟持板の平面図。
【図１４】外側挟持板の側面図。
【発明を実施するための形態】
【０００９】
本発明に係る吊架金物Ａは、電柱間にケーブルを吊架するに際し、該ケーブルを支持する支持線（メッセンジャーワイヤー）を、前記電柱に引留めるために用いるもので、図示の場合は、支持線Ｃｓとケーブル本体Ｃａを一体にした自己支持型ケーブルＣ（だるま型ケーブル）を、支持線Ｃｓ部において引留める吊架金物を示すが、所謂ケーブルと別体の支持線に対しても、本吊架金物Ａは適用できる。
【００１０】
また、本発明に係る吊架金物Ａは、電柱Ｄ側に配する内側挟持板１と、該内側挟持板１の外側に重ね合わせる外側挟持板２および該挟持板１，２同士を互いに締付けて前記支持線Ｃｓを挟持させる一対の締付けボルト３，３とこれらに螺合する締付けナット４とで構成する。
【００１１】
内側挟持板１は、中央の設置板部１ａの左右両側に締付け板部１ｂ，１ｂを配した、全体として横長方形状の板体で成り、左右方向の中央部を外側面（電柱Ｄを背にする面）から内側面（電柱Ｄ側の片面）方向に浅溝状に膨出させて設けた前記設置板部１ａの両側端に、前記電柱Ｄの長手（縦）方向に沿う、一対の突条５を断面三角状にして前記内側面１´´方向に膨出させて設けてある。そして、この突条５を介して設置板部１ａの両側に連設した締付け板部１ｂの上端に受圧部６を、下端に係合凹部７をそれぞれ設けてある。受圧部６は、前記締付け板部１ｂの上端に突設した舌状片の基部から先端にかけて前記外側面１´側から内側面１´´方向に弯曲状に凹入させて構成し、また、係合凹部７は締付け板部１ｂの外側面溝状に凹入させて設けたものである。そして、前記設置板部１ａの中央部には支持ボルトを構成する接続ボルト３１又は通しボルト４１の挿通孔９を、締付け板部１ｂの中央部には前記締付けボルト３（の角根部係合）の挿通孔１０を設けてある。
【００１２】
外側挟持板２は、中央の緊締受板部２ａの左右両側に締付け板部２ｂ，２ｂを配した、全体として横長方形状の板体で成り、左右方向の中央部を外側面から内側面方向に浅く膨出させて設けた前記緊締受板部２ａの中央に、内側挟持板１の設置板部１ａに設けた挿通孔９と一致する挿通孔１１を設け、緊締受板部２ａの左右両側の前記締付け板部２ｂ，２ｂの中央部にも、内側挟持板部１ｂに設けたと同様の挿通孔１２を設けてある。そして、締付け板部２ｂの上端に突設した舌状片を、前記外側面２´から内側面２´´方向にＬ字形に屈曲して係止片１３を設けてある。この係止片１３は、前記ボルト３，３で締付けたとき、その先端が内側挟持板１の前記受圧部６に接して支点となって係合凹部７，１４に係合した支持線Ｃｓの挟持が尚一層確実に行われるようにしてある。
【００１３】
外側挟持板２を構成する緊締受板部２ａと締付け板部２ｂの下端部には、内側挟持板１に設けた係合凹部７に相対して配する係合凹部１４を設け、係合凹部７，１４のそれぞれに部分的に係合した支持線Ｃｓは、係合凹部７，１４に部分的に接して両挟持板１，２に挟持され、その状態が維持される。
【００１４】
第一の使用例
図１乃至図５は、既設の電柱用バンドＢに備えた接続ボルト３１を利用して吊架金物Ａを電柱Ｄに取付け、自己支持型ケーブルＣの支持線Ｃｓを電柱に引留めた一例を示す。
【００１５】
すなわち、一対のブレード３０，３０を先端部において接続ボルト３１（「請求項」の支持ボルトに対応）と、これに螺合するナット３２とで接続した一対二組を電柱Ｄに巻回し、接続ボルト３１で接続した一対二組のブレード３０，３０．３０，３０の隣接する緊締部同士を、緊締ボルト３３と、該ボルト３３に螺合するナット３４によって連結して構成した、所謂ブレード４片式の、電柱用（自在）バンド（図示のものは、一方の緊締ボルト３３に回動自在に支持させてシンブル３５に電柱Ｄの支線Ｓの上端を係止させるために適用した支線用のバンドを示す）の一方の前記接続ボルト３１を利用して電柱Ｄに吊架金物Ａを取付け、該吊架金物Ａに支持線Ｃｓを組付けたものである。
【００１６】
吊架金物Ａを前記電柱用バンドＢを介して電柱Ｄに組付けるには、まず、ナット４と締付けボルト３とで内、外の挟持板１，２を互いに組付けて構成した吊架金物Ａを、締付けナット４を緩めた状態にする一方、電柱Ｄに締付けた電柱用バンドＢの、一方の接続ボルト３１に螺合した接続ナット３２を該接続ボルト３１より外した状態にする。そして、ナット３２を外した接続ボルト３１に、締付けナット４を緩めて該ナット４と締付けボルト３とで内、外の挟持板１，２を互いに組付けて構成した吊架金物Ａの前記内、外の挟持板１，２を、該挟持板１，２に互いに一致するように設けた挿通孔９，１１を係合するようにして（接続ボルト３１を挿通孔９，１１に相対的に挿通させるようにして）組合わせ、挟持板１，２に設けた相対向する係合凹部７，１４間にケーブルＣの支持線Ｃｓを係合するようにして締付けボルト３に螺合した締付けナット４を締付けると（このとき、内側挟持板１の受圧部６に外側挟持板２の係止片１３の先端が圧接し、締付けにより該圧接部が支点となって各挟持板１，２は回動しようとし、該挟持板１，２の係合凹部７，１４側は互いに近接して支持線Ｃｓを挟持する。）、吊架金物Ａは支持線Ｃｓを挟持するようにして該支持線Ｃｓに組付けられる。
【００１７】
この状態で、接続ボルト３１に沿わせて吊架金物Ａ全体を、電柱Ｄ面に押し付け、突条５，５が電柱Ｄの長手方向に沿うように位置調整してバンド表面に当てがった状態を保持して、接続ナット４を接続ボルト３１に再度螺合して締付けることにより、支持線Ｃｓは電柱用バンドＢに取付けられた吊架金物Ａを介して電柱Ｄに引留められる。
【００１８】
第二の使用例
図６および図７は、第一の使用例の接続ボルト３１に代えて電柱Ｄに設けた通しボルト４１（「請求項」の支持ボルトに対応）を用い、該通しボルト４１と、これに螺合するナット４２によって吊架金物Ａを電柱Ｄに取付け、支持線Ｃｓの引留めを図るようにしたもので、前記の通り、バンド体に用いた接続ボルト３１に代えて、バンド体を省略して適用する通しボルト４１を用いた点だけが第一の使用例と異なるだけで、残余の点は第一の使用例と同様なのでその説明は省略する。
【符号の説明】
【００１９】
１      内側挟持板
２      外側挟持板
３      締付けボルト
４      締付けナット
５      突条
７      係合凹部
９，１０，１１，１２      挿通孔
１４    係合凹部
３１    ボルト
３２    ナット
【図１】
0005543311.tif 000002
【図２】
0005543311.tif 000003
【図３】
0005543311.tif 000004
【図４】
0005543311.tif 000005
【図５】
0005543311.tif 000006
【図６】
0005543311.tif 000007
【図７】
0005543311.tif 000008
【図８】
0005543311.tif 000009
【図９】
0005543311.tif 000010
【図１０】
0005543311.tif 000011
【図１１】
0005543311.tif 000012
【図１２】
0005543311.tif 000013
【図１３】
0005543311.tif 000014
【図１４】
0005543311.tif 000015